(57)【要約】【課題】  径の異なる鉄筋に対応することが可能な鉄筋用スペーサーを提供すること。【解決手段】  この発明の鉄筋用スペーサーは、弾性を有する鉄筋保持部１，２，３とブロック４に埋設される脚部５，６を有し、鉄筋保持部１，２，３は異なる大きさのものが複数設けられており、径の異なる鉄筋を保持できるようにしたものとしている。また、小型の鉄筋保持部１の前後に大型の鉄筋保持部２，３を設けたものとすることができる。さらに、弾性を有する金属板に切れ目を設け、曲げ加工することにより鉄筋保持部１，２，３と脚部５，６を形成しているものとすることができる。【選択図】  図１
2005299212.tif 000002
【特許請求の範囲】
【請求項１】
弾性を有する鉄筋保持部（１）（２）（３）とブロック（４）に埋設される脚部（５）（６）を有し、鉄筋保持部（１）（２）（３）は異なる大きさのものが複数設けられており、径の異なる鉄筋（７ａ）（７ｂ）を保持できるようにしていることを特徴とする鉄筋用スペーサー。
【請求項２】
小型の鉄筋保持部（１）の前後に大型の鉄筋保持部（２）（３）を設けている請求項１記載の鉄筋用スペーサー。
【請求項３】
弾性を有する金属板（１１）に切れ目（１２〜１５）を設け、曲げ加工することにより鉄筋保持部（１）（２）（３）と脚部（５）（６）を形成している請求項１または２記載の鉄筋用スペーサー。
【発明の詳細な説明】
【技術分野】
【０００１】
この発明は、鉄筋コンクリート施工の際に使用する鉄筋用スペーサーに関するものである。
【背景技術】
【０００２】
従来の鉄筋用スペーサーとしては、特許文献１に記載のようなものがある。この従来の鉄筋用スペーサーは、弾性を有する鉄筋保持部（キャッチャー）とブロックに埋設される脚部を有しており、鉄筋を安定よく保持することができるようになっている。
【０００３】
しかし、この従来の鉄筋用スペーサーは、前記鉄筋保持部が１つしか設けられていないため、径の異なる鉄筋に対応することができなかった。特に、想定したよりも径が大きい鉄筋の場合、鉄筋に重量があるため、１つの鉄筋保持部では安定的に保持することが困難であった。
【特許文献１】特開２００１−１９８９１２号公報
【発明の開示】
【発明が解決しようとする課題】
【０００４】
そこで、この発明は、径の異なる鉄筋に対応することが可能な鉄筋用スペーサーを提供することを課題とする。
【課題を解決するための手段】
【０００５】
この発明の鉄筋用スペーサーは、弾性を有する鉄筋保持部１，２，３とブロック４に埋設される脚部５，６を有し、鉄筋保持部１，２，３は異なる大きさのものが複数設けられており、径の異なる鉄筋７ａ，７ｂを保持できるようにしたものとしている。
【０００６】
また、小型の鉄筋保持部１の前後に大型の鉄筋保持部２，３を設けたものとすることができる。
【０００７】
さらに、弾性を有する金属板１１に切れ目１２〜１５を設け、曲げ加工することにより鉄筋保持部１，２，３と脚部５，６を形成しているものとすることができる。
【発明の効果】
【０００８】
この発明の鉄筋用スペーサーは、上述のような構成を有しており、径の異なる鉄筋７ａ，７ｂに対応することが可能となっている。
【０００９】
また、この発明の鉄筋用スペーサーは、弾性を有する金属板１１を加工することにより低コストで容易に製造することが可能となっている。
【発明を実施するための最良の形態】
【００１０】
この発明の鉄筋用スペーサーは、弾性を有する鉄筋保持部１，２，３とブロック４に埋設される脚部５，６を有し、鉄筋保持部１，２，３は異なる大きさのものが複数設けられており、径の異なる鉄筋７ａ，７ｂを保持できるようにしたものとしている。
【００１１】
以下、この発明の好適な実施形態を、図面を参照して説明する。
【００１２】
図１はこの発明の実施形態の鉄筋用スペーサーの斜視図、図２はこの鉄筋用スペーサーをコンクリートのブロック４に固定した場合の斜視図、図３はこの鉄筋用スペーサーに比較的径の小さい鉄筋７ａを保持させた場合の前面図、図４はこの鉄筋用スペーサーに比較的径の大きい鉄筋７ｂを保持させた場合の前面図、図５はこの鉄筋用スペーサーの元の金属板１１の平面図である。
【００１３】
この鉄筋用スペーサーは、図１等に示したように、３組の鉄筋保持部１，２，３と２組の脚部５，６が、水平方向に延びる接続部８を介して接続された構造となっている。
【００１４】
この鉄筋用スペーサーは、全長が５５ｍｍ程度で、接続部８の前端側と後端側の中間には小型の鉄筋保持部１が設けられ、その前後には大型の鉄筋保持部２，３が設けられている。
【００１５】
鉄筋保持部１，２，３は、接続部８の両側の長辺から直角方向に延びる一対の片１ａ，１ｂ、２ａ，２ｂ、３ａ，３ｂからなり、各片は円弧状に曲げられ、その先端部が内側に折れ曲がった形状となっている。小型の鉄筋保持部１は、その下端部付近に内側において斜め上方に突出する三角形状の突出部９を有している。
【００１６】
脚部５，６は、接続部８の両側の長辺から直角方向に延びる一対の片５ａ，５ｂ、６ａ，６ｂで、各片は縦長の板状で、その先端部が外側に折れ曲がった形状となっている。脚部５，６は、前後の小型の鉄筋保持部１と大型の鉄筋保持部２，３との間に、それぞれ１組ずつ設けられている。
【００１７】
接続部８は細い板状で、鉄筋保持部１，２，３や脚部５，６を構成する片と一体であり、脚部５，６の付け根となる部分は幅が細くなったものとしている。
【００１８】
この鉄筋用スペーサーは、比較的径の小さい鉄筋７ａとして直径１３ｍｍの鉄筋が保持でき、及び比較的径の大きい鉄筋７ｂとして直径１６ｍｍの鉄筋が保持できるようにしている。
【００１９】
この鉄筋用スペーサーに比較的径の小さい鉄筋７ａを保持させるには、図３に示したように、中間の小型の鉄筋保持部１の両側の片１ａ，１ｂの各先端部と突出部９を鉄筋７ａ，７ｂに接触させる。
【００２０】
比較的径の大きい鉄筋７ｂを保持させるには、図４に示したように、中間の小型の鉄筋保持部１の両側の片１ａ，１ｂを外方に開き、この中間の鉄筋保持部１の両側の片１ａ，１ｂの各先端部と突出部９、並びに前後の大型の鉄筋保持部２，３の両側の片２ａ，２ｂ、３ａ，３ｂの各先端部を鉄筋７ａ，７ｂに接触させる。
【００２１】
鉄筋７ａ，７ｂは、上部を除きほぼ全周が接続部８と鉄筋保持部１，２，３に囲まれるようにして配され、鉄筋保持部１，２，３の先端部によって押さえつけられるようにしているとともに、下部が前記突出部９に両側から支持され、鉄筋７ａ，７ｂの下方に隙間１０が生じるようにしている。この隙間１０にはコンクリートを流し込むことができるようになっている。
【００２２】
また、比較的重量のある径の大きい鉄筋７ｂは、３つの鉄筋保持部１，２，３に保持されるので、しっかりと安定した状態が保たれる。
【００２３】
この鉄筋用スペーサーは、図５に示したような１枚の弾性を有する金属板１１に切れ目を設け、曲げ加工することにより形成することができる。この金属板１１は、左端側（前端側）から図中縦方向に延びる第１切れ目１２、第２切れ目１３が設けられ、これと対称に、右端側（後端側）から第３切れ目１４、第４切れ目１５が設けられている。
【００２４】
左端から第１切れ目１２までの部分１６、及び右端から第３切れ目１４までの部分１７がそれぞれ大型の鉄筋保持部２，３となり、第２切れ目１３と第４切れ目１５との間の部分１８が小型の鉄筋保持部１となり、第１切れ目１２と第２切れ目１３との間の部分１９、及び第３切れ目１４と第４切れ目１５との間の部分２０がそれぞれ脚部５，６となる。
【００２５】
各切れ目１２〜１５は、接続部８となる中央部分２１において中断箇所を有している。第１切れ目１２及び第３切れ目１４の中断箇所は第２切れ目１３及び第４切れ目１５の中断箇所よりも長く、第２切れ目１３及び第４切れ目１５の中断箇所付近には、突出部９となる＜字状部分２２を設けている。
【００２６】
両側の大型の鉄筋保持部２，３となる部分１６，１７及び脚部５，６となる部分１９，２０の上縁付近と下縁付近には折り曲げ線２３を設け、前述のように大型の鉄筋保持部２，３及び脚部５，６の先端部が折れ曲がった形状にできるようにしている。
【００２７】
また、小型の鉄筋保持部１となる部分１８の上縁付近と下縁付近には、切り取り線２４を設け、この切り取り線２４より外側の部分２５を切除するようにしているとともに、切り取り線２４より内側には折り曲げ線２６を設け、前述のように先端部が内側に折れ曲がった形状にできるようにしている。
【００２８】
この鉄筋用スペーサーは、前記金属板１１の小型の鉄筋保持部１となる部分１８と大型の鉄筋保持部２，３となる部分１６，１７をそれぞれ円弧状に曲げ、その反対側に脚部５，６となる部分１９，２０をその付け根（中断箇所付近）で折り曲げ、さらに突出部９となる＜字状部分２２を内方に折り曲げることにより、図１等に示したような完成した状態にすることができる。
【００２９】
なお、この発明の鉄筋用スペーサーは、上述の実施形態の形状、大きさに限定されず、鉄筋保持部１，２，３や脚部５，６の数、素材も適宜選択して実施することが可能である。
【産業上の利用可能性】
【００３０】
各種の建築物の鉄筋コンクリート施工の際に利用することが可能である。
【図面の簡単な説明】
【００３１】
【図１】この発明の実施形態の鉄筋用スペーサーの斜視図である。
【図２】この発明の実施形態の鉄筋用スペーサーをコンクリートのブロックに固定した場合の斜視図である。
【図３】この発明の実施形態の鉄筋用スペーサーに比較的径の小さい鉄筋を保持させた場合の前面図である。
【図４】この発明の実施形態の鉄筋用スペーサーに比較的径の大きい鉄筋を保持させた場合の前面図である。
【図５】この発明の実施形態の鉄筋用スペーサーの元の金属板の平面図である。
【符号の説明】
【００３２】
１  小型の鉄筋保持部
２，３  大型の鉄筋保持部
４  ブロック
５，６  脚部
７ａ，７ｂ  鉄筋
１１  金属板
１２〜１５  切れ目
【図１】
2005299212.tif 000003
【図２】
2005299212.tif 000004
【図３】
2005299212.tif 000005
【図４】
2005299212.tif 000006
【図５】
2005299212.tif 000007